(57)【要約】【課題】  収容部内の内容物を小出し部の取出口に確実に止め、外部に飛び出すことが少なくなるようにし、しかも、小出し部に残った内容物を収容部に戻してジッパーをした後も、手間をかけることなく小出し部に埃やその他の物の混入を防止可能にすることにより衛生面および安全面での向上を図ることができる取出口付き袋体を提供する。【解決手段】  耳部５ａをつまみ蓋部５を小出し部３より剥離すると、遮蔽シート部が蓋部５の裏面に付いた状態で立ち上がり、取出口が現れる。延出部３ｃを掴んでジッパー４を開き、袋体１を小出し部３が下になるように傾けることにより収容部２の内容物を取出口まで滑らせる。勢い余っても内容物は蓋部５の裏面の遮蔽シート部に突き当たって取出口で止まる。取出口の残り物は収容部に戻しジッパーを閉じ、取出口に蓋部を５を被せて埃などの進入を防止できる。【選択図】    図２
2006051993.tif 000002
【特許請求の範囲】
【請求項１】
合成樹脂フィルムまたはシートからなる袋状の収容部と、
合成樹脂フィルムまたはシートからなり、前記収容部の開口部に連設される袋状の小出し部と、
前記収容部と前記小出し部の間を仕切る開閉自在のジッパーと、
前記小出し部の一面を、一端を残して切り出すことにより取出口を形成するとともに該切り出した部分が取出口を遮蔽する機能を有する遮蔽シート部と、
再剥離性感熱粘着剤が塗布され前記遮蔽シート部を覆って前記小出し部に貼着される蓋部とを有し、
前記蓋部を剥がしたとき、前記遮蔽シート部が該蓋部の裏面に貼着され、かつ一端が前記小出し部に結合された状態で前記取出口が開口され、
前記ジッパーを開いて前記収容部の内容物を前記小出し部まで滑動させる場合、前記蓋部の裏面に貼着された遮蔽シート部を内容物のオーバーラン防止壁として起立させた状態で前記小出し部の取出口に内容物を導くことを可能にしたことを特徴とする取出口付き袋体。
【請求項２】
前記ジッパー開閉時の摘まみとして機能する合成樹脂ファイルまたはシートを、前記収容部の上部の前記ジッパー付近から前記収容部の下部に向けて延出させたことを特徴とする請求項１記載の取出口付き袋体。
【請求項３】
前記小出し部の一面から切り出される遮蔽シート部は、該切り出される遮蔽シートの形状と該小出し部の一面側に残る取出口の形状は異なることを特徴とする請求項１記載の取出口付き袋体。
【請求項４】
前記蓋部は前記再剥離性感熱粘着剤が塗布されていない耳部を有することを特徴とする請求項１記載の取出口付き袋体。
【発明の詳細な説明】
【技術分野】
【０００１】
本発明は、ピーナツ，さきいかなどのおつまみ類やお菓子などを収容する袋体、さらに詳しく云えば、収容された内容物を取り出すための取出口を持つ小出し部を有する袋体に関する。
【背景技術】
【０００２】
合成樹脂フィルムまたはシートからなる袋体は、あられや煎餅などの菓子類，さきいかやバターピーナツなどのおつまみ類を始めとして、各種物品の包装に広く各家庭ではもちろん、旅先でも利用されている。
本件出願人はこれら袋体について必要量取り出すために袋体の一部に、取出口を有する小出し部を設け、この小出し部と内容物を収容する収容部の中間にジッパーを取り付けた構造の袋体を提案している（特許文献１）。
この提案によれば、旅先などで必要量だけ内容物を収容部から小出し部に移動させることにより小出し部を小皿として機能させ、小出し部に移動させた内容物が残った場合には残りものを収容部に戻してジッパーを閉じることにより保管し、再度同じようにして一度開封した袋体の中身を繰り返し取り出すことができるようにしたもので、袋体の中身を必要量だけ取り出す場合には甚だ都合のよい構造である。
【特許文献１】特開２００４−１２３１５２号公報
【発明の開示】
【発明が解決しようとする課題】
【０００３】
しかしながら、以下の点で問題が残っていた。
（１）袋体を開封する場合、小出し部の取出口を開けるため取出口を覆っている遮蔽シートを完全に取り剥がすようにし、ジッパーを開けて袋体を傾けることにより小皿替わりの小出し部まで内容物の一部を滑らせている。滑らせた内容物が小出し部の取出口の位置で止まればよいが、勢い余って取出口の端部（小出し部のシートの厚さ分）を飛び越えて外に出てしまうことがある。その結果、テーブルや床に散らばって、そのものを食したり、元の袋に戻すことができない。
このため、内容物を滑らして小出し部の取出口に誘導する場合、飛び出すことを考慮し、大きな角度で傾けて取り出すことができず、飛び出さないようにするために、僅かに傾けて内容物の滑りを確かめながら取出口まで導き出さなければならない。
【０００４】
（２）小出し部の取出口に移動させた内容物が残った場合、その内容物を収容部に戻しジッパーを閉じれば、つぎの機会に収容部より再度、取出部まで内容物を移動させ、容易に取り出すことができる。しかしながら、一旦、遮蔽シートを剥がしてしまうと、ジッパーにより小出し部と収容部との間は完全に遮蔽されるが、該袋体の保管中、取出部が開いているため、小出し部に埃やその他の物が入り込む可能性がある。これを防止するための手軽な方法として、開口している取出部の上に剥がした遮蔽シートで覆いをすることが考えられる。しかしながら、遮蔽シートは切り離してしまうため、当初に捨てることが多く、また、この遮蔽シートで覆いをしても取出部の周囲に再度貼着できない（再剥離性感熱型粘着剤を使用）ため、保管中に取出口よりずれることがあり、防塵等に完全であるとはいえない。
【０００５】
本発明は、上記諸問題を解決するもので、その目的は、袋体を大きく傾けても滑り出てくる収容部内の内容物を小出し部の取出口に確実に止め、外部に飛び出すことが少なくなるようにし、しかも、小出し部に残った内容物を収容部に戻してジッパーをした後も、手間をかけることなく小出し部に埃やその他の物の混入を防止可能にすることにより衛生面および安全面での向上を図ることができる取出口付き袋体を提供することにある。
【課題を解決するための手段】
【０００６】
前記目的を達成するために本発明の請求項１は、合成樹脂フィルムまたはシートからなる袋状の収容部と、合成樹脂フィルムまたはシートからなり、前記収容部の開口部に連設される袋状の小出し部と、前記収容部と前記小出し部の間を仕切る開閉自在のジッパーと、前記小出し部の一面を、一端を残して切り出すことにより取出口を形成するとともに該切り出した部分が取出口を遮蔽する機能を有する遮蔽シート部と、再剥離性感熱粘着剤が塗布され前記遮蔽シート部を覆って前記小出し部に貼着される蓋部とを有し、前記蓋部を剥がしたとき、前記遮蔽シート部が該蓋部の裏面に貼着され、かつ一端が前記小出し部に結合された状態で前記取出口が開口され、前記ジッパーを開いて前記収容部の内容物を前記小出し部まで滑動させる場合、前記蓋部の裏面に貼着された遮蔽シート部を内容物のオーバーラン防止壁として起立させた状態で前記小出し部の取出口に内容物を導くことを可能にしたことを特徴とする。
本発明の請求項２は、請求項１記載の発明において前記ジッパー開閉時の摘まみとして機能する合成樹脂ファイルまたはシートを、前記収容部の上部の前記ジッパー付近から前記収容部の下部に向けて延出させたことを特徴とする。
本発明の請求項３は、請求項１記載の発明において前記小出し部の一面から切り出される遮蔽シート部は、該切り出される遮蔽シートの形状と該小出し部の一面側に残る取出口の形状は異なることを特徴とする。
本発明の請求項４は、請求項１記載の発明において前記蓋部は前記再剥離性感熱粘着剤が塗布されていない耳部を有することを特徴とする。
【発明の効果】
【０００７】
上記構成によれば、袋体の開封に際し、小出し部への内容物の滑動に特別な注意を払った操作をしなくても、内容物が飛び出すことなく取出口に確実に誘導され、内容物が取出口からこぼれることが特許文献１に比較し非常に少なくなった。
小出し部に移動させた内容物が余り、この内容物を収容部に戻しジッパーを閉じて保管するときには、蓋部の一端（遮蔽シート部の一端が小出し部に繋がっているため）が小出し部に確実に貼着されているため蓋部を取出口に被せるだけで確実に取出口を覆い、埃などの混入を防止でき衛生面や安全の向上に寄与できる。
【発明を実施するための最良の形態】
【０００８】
以下、図面等を参照して本発明の実施の形態を詳しく説明する。
本発明による取出口付き袋体は、１つの筒状に形成されたフィルムまたはシート等の内部に小出し部と収容部に分割するジッパーを設けて製造する場合や、菓子やつまみなど内容物を収容する収容部と小皿替わりとして機能する取出口を有する小出し部を別々に設けてこれらを熱融着して製造する場合があるが、この実施の形態は後者の方法である。
図１Ａは、小出し部の実施の形態を示す図で、（ａ）は正面図，（ｂ）はＡ−Ａ断面図，（ｃ）はＢ−Ｂ断面図であり、図１Ｂは、収容部の実施の形態を示す図で、（ａ）は正面図，（ｂ）はＣ−Ｃ断面図，（ｃ）はＤ−Ｄ断面図である。
この発明の取出口付き袋体１は、通常矩形状の合成樹脂フィルムまたはシートから成形された袋体からなるもので、それらの袋体はポリエチレン，ポリプロピレン等のポリオレフィン，塩化ビニル，ナイロン製のフィルムまたはシートを折り畳んで、または２枚を重ねて、さらには筒状に形成されたフィルムまたはシート等の端部を熱融着などして接合することにより形成される。本発明は小出し部３と収容部２を熱融着などでそれぞれ袋状に形成してその後に小出し部と収容部を熱融着により結合して作るものである。
【０００９】
この方法で取出口付き袋体１を作る理由の１つとして、ジッパー４を開く場合に、結合シート部３ｅにより両手でそれぞれ把持するつまみ部分が容易に形成されるからである。
小出し部３はフィルムまたはシート等（以下「フィルム等」という）を２つ折りして両端部を熱融着（熱融着部３ａ）して袋状に形成する。小出し部３の結合シート部３ｅは熱融着せず、収容部２の上部と重ねて熱融着する部分であり、また、上述したようにこの部分がジッパーを開く場合のつまみ部分となる。小出し部３の上面には内容物を取り出すための取出口８を形成するための切り口３ｃが設けられている。切り口３ｃによって遮蔽シート部３ｂが形成され、この遮蔽シート部３ｂは小出し部３の上部側に開くようになっている。
【００１０】
一方、収容部２はフィルム等を２つ重ねて（２つ折りでもよい）３辺を熱融着（熱融着部２ａ）して袋状に形成する。この部分は内容物を収容する部分であるので、小出し部３に比較し、幅は同じであるが、長さ方向は大きくしてあり内容物収容機能を満たす大きさである。収容部２の上部の結合シート部２ｂは熱融着せず、この部分と熱融着部２ａの境部分に開閉自在なジッパー４が設けられている。
ジッパー４は合成樹脂製の所謂面チャックとして袋物に広く使用されているもので、雌雄の凹凸体からなるシングル式と２連に形成されるダブル式がある。いずれの形式のものも利用可能である。
【００１１】
図１Ｃは、蓋部の実施の形態を示す図で、（ａ）は正面図，（ｂ）は側面図である。
蓋部５は図１Ａの小出し部３の上面の点線で示す部分に熱貼着されるものである。
蓋部５は遮蔽シート部３ｂ全面とその周囲を覆うように貼り付けられ、中央下部にはこの蓋部５を開封するための耳部５ａが形成されている。
蓋部５の裏面の貼着剤は再剥離性感熱型粘着剤等であり、加熱により遮蔽シート部を含む周囲まで密閉するもので、消費者が内容物を取り出すために蓋部５を剥がした場合には、再密封することが困難なものである。小出し部を構成するフィルム等に非再熱シール性のシーラントなどを塗布しておけば、さらに確実に再密封を防止することができる。
【００１２】
図２は本発明による取出口付き袋体の完成した状態を示す図である。
小出し部３の結合シート部３ｅが外側になるように、収容部２の結合シート部２ｂを重ね合わせ、ジッパー４の少し上側部分で一定幅で横方向に熱融着する（熱融着部７）と共に上記重ね合わせ部分１２の両端部も熱融着する。つぎに蓋部５を加熱により点線部分３ｆに貼着する。以上により取出口付き袋体が完成する。なお、菓子などの内容物は収容部が形成された時点で充填することが可能である。また、収容部を形成したときは、下端部については熱融着を行わず、上記結合シート部２ｂと３ｅとの熱融着後に収容部に下側から菓子などの内容物を充填し、下部を熱融着する工程も可能である。
【００１３】
図３は、本発明による取出口付き袋体の使用状態を説明するための斜視図で、蓋部が開封されジッパーが開けられ、収容部より内容物が小出し部の取出部に出ている状態を示している。
内容物としてピーナツ１１と煎餅１０が多数収容されている。耳部５ａを摘んで蓋部５を小出し部３より剥がすと、遮蔽シート部３ｂが蓋部５の裏面に付いた状態で開き取出部８が現れる。遮蔽シート部３ｂの切れていない端部を支点として図３に示すように蓋部５が起き上がる。上面と背面に設けられている延出部３ｃを両手でそれぞれ摘んで開く操作をすると、ジッパー４を外すことができる。図３はジッパー４が外れて収容部の上部の中心部が膨らんだ状態を示している。この状態で、袋体１を小出し部３側が下がるように傾けるとピーナツ１１と煎餅１０が小出し部３に向かって滑っていく。勢いよく滑っていっても蓋部５が立ち上がっており、この内側の遮蔽シート部３ｂに突き当たるため、取出口８内に止まって外に飛び出ることはない。
【００１４】
また、小出し部に移動させた内容物が余った場合には、袋体１を収容部２側が下がるように傾けることにより、残ったピーナツ１１と煎餅１０を元の収容部２に容易に戻すことができ、ジッパー４を閉じることにより湿気などを防止して保管することができる。蓋部５を立ち下げることにより取出口８が覆われるので埃やその他の物の小出し部３への進入を防ぐことができ、衛生面および安全性を向上させることができる。蓋部５の支点となる部分は小出し部に繋がっているため、被せた蓋部５が取出口８からずれることはなく、また蓋部５は遮蔽シート部３ｂより少し大きめのため、隙間が生じることもなく、確実に埃などの進入を防ぐことができる。
【００１５】
以上の実施の形態は、切り出される遮蔽シート部と切り出しにより形成される取出口の大きさ，形状が同じ場合の例について説明したが、遮蔽シート部の形状，大きさを取出口に比較して小さい形状に加工しても良い。
また、小出し部と収容部を別々に設け、後に貼着接合して袋体を形成する例を説明したが、例えば、筒状のフィルム内の所定の箇所にジッパーを熱融着させるとともに小出し部と収容部をそれぞれ形成し、小出し部に取出口を形成すべき切り込みを形成し、収容部に菓子などの内容物を充填し、小出し部と収容部の上下端部を熱融着し、蓋部を小出し部に加熱貼着する工程により製造することも可能である。
【産業上の利用可能性】
【００１６】
菓子袋，つまみ袋その他の入れ物として好適に使用できる。
【図面の簡単な説明】
【００１７】
【図１Ａ】本発明による取出口付き袋体の小出し部の実施の形態を示す図である。
【図１Ｂ】本発明による取出口付き袋体の収容部の実施の形態を示す図である。
【図１Ｃ】本発明による取出口付き袋体の蓋部の実施の形態を示す図である。
【図２】本発明による取出口付き袋体の完成した状態を示す図である。
【図３】本発明による取出口付き袋体の使用状態を説明するための斜視図で、蓋部が開封されジッパーが開けられ収容部より内容物が小出し部の取出部に出ている状態を示している。
【符号の説明】
【００１８】
１  取出口付き袋体
２  収容部
２ａ，３ａ，７  熱融着部
２ｂ，３ｅ  結合シート部
３  小出し部
３ｂ  遮蔽シート部
３ｃ  延出部
３ｄ  折曲部
４  ジッパー
５  蓋部
５ａ  耳部
８  取出口
９  粘着部
１０，１１  内容物（ピーナツ，煎餅など）
【図１Ａ】
2006051993.tif 000003
【図１Ｂ】
2006051993.tif 000004
【図１Ｃ】
2006051993.tif 000005
【図２】
2006051993.tif 000006
【図３】
2006051993.tif 000007